(57)【要約】【課題】より簡易に取付パネルへ取り付けることができる回路遮断器の取付パネルへの取付方法及び取付構造を提供する。【解決手段】ロック部３２を、本体ケース４の底面から下方へ突出するロック位置と、本体ケース４内へ埋入するアンロック位置との間を上下にスライド可能とし、ロック部材３０に、ロック部３２を下方へ付勢してロック位置で保持するコイルバネ３３を取り付けており、前掛止片８を前スリット２２の後端に、後掛止片９を後スリット２３の後端に夫々掛止させることをもって、ロック部３２が自動的にロック位置へ復帰してロック用スリット内２１へ突出するようにした。また、後掛止片９を後スリット２３の前端際に挿通させた際、前掛止片８及びロック部３２が夫々対応するスリット２１、２２よりも前方に位置するようにし、後掛止片９、前掛止片８、及びロック部３２を順に対応するスリット２１〜２３内へ挿通させるようにした。【選択図】図１
2019040738.tif 000002
【特許請求の範囲】
【請求項１】
本体ケースの底面に、後方へ屈曲する鉤状に成形された２つの掛止片が前後に所定の間隔を隔てて突設されているとともに、前記本体ケースの前端底部に、前記本体ケースの底面から下方へ突出可能なロック部を備えたロック部材が設けられているとともに、前記ロック部が、前記本体ケースの底面から下方へ突出するロック位置と、前記本体ケース内へ埋入するアンロック位置との間を上下にスライド可能であって、前記ロック部材に、前記ロック部を下方へ付勢し、前記ロック部材に上方への負荷がかけられていない状態では前記ロック部を前記ロック位置で保持する弾性手段が設けられている回路遮断器を、後側の前記掛止片が挿通可能で前後方向へ延びる後スリット、前側の前記掛止片が挿通可能で前後方向へ延びる前スリット、及び前記ロック部が挿通可能で前後方向へ延びるロック用スリットが開設されているとともに、前記後側の掛止片を前記後スリットの前端際に挿通させると、前記前側の掛止片及び前記ロック部が夫々対応するスリットよりも前方に位置する取付パネルに取り付けるための取付方法であって、
前記本体ケースを後側へ傾斜させた姿勢として、前記後側の掛止片を前記後スリットの前端際に挿通させる第１工程と、
前記後側の掛止片を前記後スリットに挿通させた状態のまま、前記本体ケースを後側へ引きつつ、前記本体ケースの前側を前記取付パネル側に近づけて、前記前側の掛止片を前記前スリットに挿通させるとともに、前記ロック部を前記取付パネルの前縁上に載置させる第２工程と、
前記本体ケースに下方へ負荷をかけて前記ロック部をアンロック位置側へ移動させ、前記本体ケースの底面を前記取付パネルの表面に当接させる第３工程と、
当該状態のまま前記本体ケースを後側へ引くことにより、前記前側の掛止片を前記前スリットの後端に、前記後側の掛止片を前記後スリットの後端に夫々掛止させるとともに、前記弾性手段によって自動的に前記ロック位置へ復帰した前記ロック部を前記ロック用スリット内へ突出させる第４工程と
を実行することを特徴とする回路遮断器の取付パネルへの取付方法。
【請求項２】
本体ケースの底面に、後方へ屈曲する鉤状に成形された２つの掛止片が前後に所定の間隔を隔てて突設されているとともに、前記本体ケースの前端底部に、前記本体ケースの底面から下方へ突出可能なロック部を備えたロック部材が設けられた回路遮断器を取付パネルへ取り付けるための取付構造であって、
前記取付パネルに、後側の前記掛止片が挿通可能で前後方向へ延びる後スリットが開設されているとともに、前側の前記掛止片が挿通可能で前後方向へ延びる前スリット、及び前記ロック部が挿通可能で前後方向へ延びるロック用スリットが、前記後側の掛止片を前記後スリットの前端際に挿通させると、前記前側の掛止片及び前記ロック部が夫々対応するスリットよりも前方に位置するような箇所に開設されており、
前記前側の掛止片を前記前スリットの後端に、前記後側の掛止片を前記後スリットの後端に夫々掛止させるとともに、前記ロック部を前記ロック用スリット内に位置させ、前記ロック用スリットの前端と前記ロック部とを当接させることにより、前記回路遮断器を前記取付パネルに固定可能とする一方、
前記回路遮断器において前記ロック部が、前記本体ケースの底面から下方へ突出するロック位置と、前記本体ケース内へ埋入するアンロック位置との間を上下にスライド可能となっているとともに、
前記ロック部材に、前記ロック部を下方へ付勢し、前記ロック部材に上方への負荷がかけられていない状態では前記ロック部を前記ロック位置で保持する弾性手段が設けられていることを特徴とする回路遮断器の取付パネルへの取付構造。
【発明の詳細な説明】
【技術分野】
【０００１】
本発明は、たとえば分電盤内等に設置される回路遮断器の取付パネルへの取付方法及び取付構造に関するものである。
【背景技術】
【０００２】
従来、回路遮断器を分電盤内に設置する際には、取付パネルを介することが一般的であり、回路遮断器を取付パネルに取り付ける一般的な構造としては、取付パネルに２つのスリットを開設する一方、回路遮断器の底面に、各スリットに夫々掛止する２つの掛止片を設けるといった構造がある。そして、回路遮断器を取付パネルへ取り付けるにあたっては、回路遮断器の電源側端子側を後側、負荷側端子側を前側とすると、回路遮断器の底面を取付パネルと略平行な姿勢として取付パネルの上方から回路遮断器を近接させ、両スリットに両掛止片を夫々同時に挿通させて両掛止片を取付パネルの下側まで突出させた後、回路遮断器を後側へ押し込むことで、スリットの後端に掛止片を掛止させるようになっている。ただ、当該状態のままでは回路遮断器を取り付けたことにはならない。そこで、たとえば特許文献１に記載の発明では、回路遮断器に、上下方向へのスライド操作によって本体ケース内へ埋入／本体ケースから突出するロックレバーを設けており、スリットと掛止片との掛止状態においてロックレバーを下方へスライドさせて本体ケースから突出させ、ロックレバーとスリットの前端とを当接させることにより、自身の前側への移動が規制されるようにしている。
【先行技術文献】
【特許文献】
【０００３】
【特許文献１】特許第４１５３１５５号公報
【発明の概要】
【発明が解決しようとする課題】
【０００４】
しかしながら、上記特許文献１に記載の発明では、特に回路遮断器の取付パネルへの取り付け時に一々ロックレバーを操作しなければならず、作業が煩わしい、ロックのし忘れが起こる等の問題があった。
【０００５】
そこで、本発明は、上記問題に鑑みなされたものであって、より簡易に取付パネルへ取り付けることができる回路遮断器の取付パネルへの取付方法及び取付構造を提供しようとするものである。
【課題を解決するための手段】
【０００６】
上記目的を達成するために、本発明は、本体ケースの底面に、後方へ屈曲する鉤状に成形された２つの掛止片が前後に所定の間隔を隔てて突設されているとともに、前記本体ケースの前端底部に、前記本体ケースの底面から下方へ突出可能なロック部を備えたロック部材が設けられているとともに、前記ロック部が、前記本体ケースの底面から下方へ突出するロック位置と、前記本体ケース内へ埋入するアンロック位置との間を上下にスライド可能であって、前記ロック部材に、前記ロック部を下方へ付勢し、前記ロック部材に上方への負荷がかけられていない状態では前記ロック部を前記ロック位置で保持する弾性手段が設けられている回路遮断器を、後側の前記掛止片が挿通可能で前後方向へ延びる後スリット、前側の前記掛止片が挿通可能で前後方向へ延びる前スリット、及び前記ロック部が挿通可能で前後方向へ延びるロック用スリットが開設されているとともに、前記後側の掛止片を前記後スリットの前端際に挿通させると、前記前側の掛止片及び前記ロック部が夫々対応するスリットよりも前方に位置する取付パネルに取り付けるための取付方法であって、前記本体ケースを後側へ傾斜させた姿勢として、前記後側の掛止片を前記後スリットの前端際に挿通させる第１工程と、前記後側の掛止片を前記後スリットに挿通させた状態のまま、前記本体ケースを後側へ引きつつ、前記本体ケースの前側を前記取付パネル側に近づけて、前記前側の掛止片を前記前スリットに挿通させるとともに、前記ロック部を前記取付パネルの前縁上に載置させる第２工程と、前記本体ケースに下方へ負荷をかけて前記ロック部をアンロック位置側へ移動させ、前記本体ケースの底面を前記取付パネルの表面に当接させる第３工程と、当該状態のまま前記本体ケースを後側へ引くことにより、前記前側の掛止片を前記前スリットの後端に、前記後側の掛止片を前記後スリットの後端に夫々掛止させるとともに、前記弾性手段によって自動的に前記ロック位置へ復帰した前記ロック部を前記ロック用スリット内へ突出させる第４工程とを実行することを特徴とする。
また、上記目的を達成するために、本体ケースの底面に、後方へ屈曲する鉤状に成形された２つの掛止片が前後に所定の間隔を隔てて突設されているとともに、前記本体ケースの前端底部に、前記本体ケースの底面から下方へ突出可能なロック部を備えたロック部材が設けられた回路遮断器を取付パネルへ取り付けるための取付構造であって、前記取付パネルに、後側の前記掛止片が挿通可能で前後方向へ延びる後スリットが開設されているとともに、前側の前記掛止片が挿通可能で前後方向へ延びる前スリット、及び前記ロック部が挿通可能で前後方向へ延びるロック用スリットが、前記後側の掛止片を前記後スリットの前端際に挿通させると、前記前側の掛止片及び前記ロック部が夫々対応するスリットよりも前方に位置するような箇所に開設されており、前記前側の掛止片を前記前スリットの後端に、前記後側の掛止片を前記後スリットの後端に夫々掛止させるとともに、前記ロック部を前記ロック用スリット内に位置させ、前記ロック用スリットの前端と前記ロック部とを当接させることにより、前記回路遮断器を前記取付パネルに固定可能とする一方、前記回路遮断器において前記ロック部が、前記本体ケースの底面から下方へ突出するロック位置と、前記本体ケース内へ埋入するアンロック位置との間を上下にスライド可能となっているとともに、前記ロック部材に、前記ロック部を下方へ付勢し、前記ロック部材に上方への負荷がかけられていない状態では前記ロック部を前記ロック位置で保持する弾性手段が設けられていることを特徴とする。
【発明の効果】
【０００７】
本発明によれば、ロック部を下方へ付勢し、ロック部材に上方への負荷がかけられていない状態ではロック部をロック位置で保持する弾性手段により、前側の掛止片を前スリットの後端に、後側の掛止片を後スリットの後端に夫々掛止させることをもって、ロック部が自動的にロック位置へ復帰してロック用スリット内へ突出することになる。したがって、回路遮断器の取付パネルへの取り付けに係り、作業者がロック部材を直接操作する必要がないため、ロックのし忘れ等を防止することができ、従来よりも簡易に回路遮断器を取付パネルへ取り付けることができる。
また、後側の掛止片を後スリットの前端際に挿通させた際、前側の掛止片及びロック部が夫々対応するスリットよりも前方に位置するようになっており、後側の掛止片、前側の掛止片、及びロック部を順に対応するスリット内へ挿通させるようにしている。したがって、２つの掛止片を同時にスリットへ挿通させて取り付けるものでは、回路遮断器が前後何れかに傾斜した姿勢のまま導体バーと接続されてしまい、不用意な脱落が起きかねないという問題を抱えていたところ、本願発明ではそのような事態を防止することができ、回路遮断器の取付パネルへの取付状態の安定性を向上することができる。
【図面の簡単な説明】
【０００８】
【図１】取付パネルへ取り付けた状態にある回路遮断器を側方から示した説明図である。
【図２】導体バーが配設された取付パネルを示した斜視説明図である。
【図３】ロック部材を示した斜視説明図であり、（ａ）はコイルバネ取付後の状態、（ｂ）はコイルバネ取付前の状態を夫々示している。
【図４】ロック部材により回路遮断器がロックされた状態を示した説明図である。
【図５】ロック部材によるロックが解除された状態を示した説明図である。
【図６】回路遮断器の取付パネルへの取り付けに係る手順を示した説明図である。
【図７】回路遮断器の取付パネルへの取り付けに係る手順を示した説明図である。
【図８】回路遮断器の取付パネルへの取り付けに係る手順を示した説明図である。
【図９】回路遮断器の後部と導体バーとが干渉したり、前掛止片と取付パネルとが干渉したりする様子を示した説明図である。
【発明を実施するための形態】
【０００９】
以下、本発明の一実施形態となる回路遮断器の取付パネルへの取付構造及び取付方法について、図面にもとづき詳細に説明する。
図１は、取付パネル２０へ取り付けた状態にある回路遮断器１を側方から示した説明図である。図２は、導体バー１１、１１・・が配設された取付パネル２０を示した斜視説明図である。図３は、ロック部材３０を示した斜視説明図であり、（ａ）はコイルバネ３３取付後の状態、（ｂ）はコイルバネ３３取付前の状態を夫々示している。図４は、ロック部材３０により回路遮断器１がロックされた状態を示した説明図であり、図５は、ロック部材３０によるロックが解除された状態を示した説明図である。図６〜図８は、回路遮断器１の取付パネル２０への取り付けに係る手順を示した説明図である。図９は、回路遮断器１の後部と導体バー１１、１１・・とが干渉したり、前掛止片８と取付パネル２０とが干渉したりする様子を示した説明図である。なお、負荷側端子３側を回路遮断器１の前側として説明する。
【００１０】
回路遮断器１は、合成樹脂製の左右一対のケースを組み立ててなる本体ケース４を有しており、本体ケース４の上面には、ハンドル７が前後方向へ回動操作可能に設けられている。そして、ハンドル７を回動操作することで、本体ケース４内に組み込まれている図示しない遮断機構が作動し、後述する電源側端子２と負荷側端子３とを電気的につなぐ電路が接続／開放されるようになっている。また、本体ケース４の底面には、後方へ屈曲する鉤状に成形された一組の掛止片（前掛止片８及び後掛止片９）が下方へ突設されている。なお、本体ケース４内には、図示しない過電流検知機構も設けられており、過電流を検知すると上記遮断機構が開動作するようになっている。
【００１１】
また、回路遮断器１の後面には、プラグイン方式の端子Ｐ１、Ｐ２、Ｐ３を上下方向へ一列に備えてなる電源側端子２が配置されている。各端子Ｐ１〜Ｐ３は、本体ケース４を左右方向に貫通したコ字状に切り欠いて形成されており、取付パネル２０の後部に配設される電源ラインである導体バー１１を挿入接続可能となっている。一方、回路遮断器１の前面は、前側へ向かって下降傾斜する傾斜面に形成されており、該傾斜面には、負荷配線（図示せず）を挿入接続可能な３つの端子（図示せず）を傾斜方向へ一列に備えてなる負荷側端子３が配置されている。各端子は、傾斜面に直交する方向へ負荷配線を挿入可能な端子孔（図示せず）を有するとともに、本体ケース４内における端子孔の内側となる位置に設置され、端子を介して挿入された負荷配線に接触可能とされた端子金具（図示せず）を有しており、所謂速結端子として機能するようになっている。
【００１２】
加えて、本体ケース４の底部前端には、下方へ開口しており、後述するロック部材３０の一部を収納可能な収納凹部２５が設けられている。また、本体ケース４の前面底部には、収納凹部２５と連通する操作窓２６が開設されている。そして、この収納凹部２５に、回路遮断器１の取付パネル２０からの脱落を防止するためのロック部材３０が組み付けられている。なお、前掛止片８、後掛止片９、及びロック部材３０は、前後方向で一直線上に設けられている。また、後掛止片９の前後長さは、前掛止片８の前後長さよりも十分に長い。
【００１３】
ロック部材３０は、上下方向へ延びる帯状の立ち上がり部３１ａ、立ち上がり部３１ａの上端から前側へ突出する摘み部３１ｂ、及び立ち上がり部３１ａの下端から後側へ突出する基部３１ｃを有する操作片３１と、基部３１ｃから下方へ突出するロック部３２とを一体的に備えてなる。また、立ち上がり部３１ａの後側となる位置（ロック部３２の上面）には、上方へ突出する取付軸３２ａが設けられており、当該取付軸３２ａを巻回する格好でコイルバネ３３が取り付けられている。さらに、ロック部３２における取付軸３２ａの左右両側には、ロック部材３０の本体ケース４への取付時に本体ケース４の表面（具体的には、収納凹部２５の内面）に当接し、ロック部材３０の上下方向への移動をスムーズに案内するため案内ブロック３２ｂ、３２ｂが設けられている。加えて、ロック部３２の前後方向長さは、後述する取付パネル２０のロック用スリット２１の前後長さよりは短くなっているとともに、前掛止片８の前後長さよりも短くなっている。このようなロック部材３０は、収納凹部２５内に案内ブロック３２ｂ、３２ｂやコイルバネ３３が収納され、操作片３１が操作窓２６を介して本体ケース４の前方に突出した状態で組み付けられている。
【００１４】
そして、上記ロック部材３０は、通常（ロック部材３０に上方への負荷がかけられていない状態）、コイルバネ３３の付勢力により操作片３１の基部３１ｃが操作窓２６の下端に当接した状態にあり、ロック部３２は本体ケース４の底面よりも下方へ突出したロック位置で保持されている。また、直接ロック部３２に上方への負荷がかかったり、コイルバネ３３の付勢力に抗して操作片３１が上方へ操作されたりして、操作片３１の基部３１ｃが操作窓２６の上端際にまで移動すると、ロック部３２は本体ケース４内へ埋入したアンロック位置へ移動することになる。
【００１５】
一方、取付パネル２０は、前端が下方へ折り曲げられてなるもので、前縁側にはロック用スリット２１及び前スリット２２が開設されている一方、前スリット２２の後方には後スリット２３が開設されている。そして、ロック用スリット２１、前スリット２２、及び後スリット２３は、前後方向へ一直線上に設けられているとともに、回路遮断器１の並設方向へ所定間隔毎に複数組設けられている。また、取付パネル２０の後スリット２３よりも更に後側となる位置には、回路遮断器１の電源側端子２が接続される３つの導体バー１１、１１・・が周知の支持部材１２を介して配設されている。
【００１６】
ロック用スリット２１は、ロック部３２より僅かに前後方向へ長く、且つ、前掛止片８の前後方向長さよりは短く開設されたスリットであって、ロック部３２のみが挿通可能となっており、ロック用スリット２１の前端と挿通状態にあるロック部３２とが干渉することにより、回路遮断器１の前後方向への移動を規制するようになっている。
【００１７】
前スリット２２は、ロック用スリット２１よりも前後方向へ長く形成されており、前掛止片８を挿通させ、その後端に前掛止片８の屈曲部を掛止させることにより、回路遮断器１の上方向への移動を規制するようになっている。また、前スリット２２の後端からロック用スリット２１の前端までの距離は、回路遮断器１におけるロック部３２と前掛止片８の屈曲部との前後方向での距離と同じとなっている。
【００１８】
後スリット２３は、後掛止片９を挿通可能なスリットであって、その後端に後掛止片９の屈曲部を掛止させることにより、回路遮断器１の上方向への移動を規制するようになっている。また、後スリット２３は、前スリット２２よりも更に前後方向に長く形成され、前掛止片８を前スリット２２へ挿通させた際、同時に後掛止片９も後スリット２３へ挿通するようになっている。さらに、後スリット２３の後端から前スリット２２の後端までの前後方向での距離は、回路遮断器１における前掛止片８と後掛止片９との前後距離と同じとされており、前掛止片８を前スリット掛止させると、後掛止片９の屈曲部も同時に掛止するようになっている。
【００１９】
そして、上記ロック用スリット２１、前スリット２２、及び後スリット２３と、回路遮断器１のロック部材３０、前掛止片８、及び後掛止片９との前後方向長さ及び前後方向での位置関係は、両掛止片８、９の屈曲部が対応するスリット２２、２３の後端に掛止した際、ロック部材３０のロック部３２がロック用スリット２１の前端に当接するような位置関係となっている。ただ、後掛止片９を後スリット２３の前端際に挿通させようとした際、前掛止片８は前スリット２２よりも、ロック部３２はロック用スリット２１よりも夫々前方に位置して、後掛止片９と同時に前掛止片８やロック部３２が夫々対応するスリット２１、２２を挿通できないようになっている（図９）。なお、図９に示すように本実施形態では、後掛止片９を後スリット２３の前端際に挿通させないと、本体ケース４の後面と導体バー１１、１１・・とが干渉して、回路遮断器１を取付パネル２０へ取り付けられないようになっている。
【００２０】
ここで、上記ロック部材３０を有する回路遮断器１の取付パネル２０への着脱作業について説明する。
まず、回路遮断器１を取付パネル２０に取り付けるにあたっては、取付パネル２０の上方から回路遮断器１を取付パネル２０に近接させ、回路遮断器１の本体ケース４を後側へ傾斜させた姿勢（後側へ向かって下降傾斜する姿勢）として、後掛止片９を後スリット２３に挿通させる（図６）。このとき、ロック部３２は勿論、前掛止片８も取付パネル２０の上方にある。また、上述したように回路遮断器１と導体バー１１、１１・・との干渉を避けるべく、後掛止片９を後スリット２３の前端際に挿通させる。したがって、後掛止片９が後スリット２３の前端際にある限り、前掛止片８が前スリット２２内に入り込むような事態は起こらないし、当然ロック部３２がロック用スリット２１内に入りこむこともない。
【００２１】
次に、後掛止片９の挿通状態を維持したまま、回路遮断器１を後側へ引きつつ、回路遮断器１の前側を取付パネル２０へ近づけ、今度は前掛止片８を前スリット２２に挿通させ、ロック部材３０のブロック部３２を取付パネル２０の前縁上（ロック用スリット２１よりも前側の表面上）に載置する（図７）。さらに、当該状態から、回路遮断器１（特に、本体ケース４の前部）に対して下方へ負荷をかけてロック部３２をアンロック位置側へ移動させ、本体ケース４の底面を取付パネル２０の表面に当接させた状態とする（図８）。そして、その状態のまま回路遮断器１を後側へ引いて、電源側端子２に導体バー１１、１１・・を差し込み接続するとともに、前掛止片８を前スリット２２の後端に、後掛止片９を後スリット２３の後端に夫々掛止させればよい。すると、両掛止片８、９がスリット２２、２３に掛止したことをもって、ロック部３２全体がロック用スリット２１の上方に達する。したがって、ロック部３２がコイルバネ３３の付勢力によりロック用スリット２１内へ自動的に突出してロック位置へ復帰するとともに、ロック用スリット２１の前端に当接して（図４）、回路遮断器１の取付パネル２０への取り付け及び回路遮断器１の導体バーとの接続が完了する（図１）。
【００２２】
一方、回路遮断器１を取付パネル２０から取り外すにあたっては、操作片３１を上方へ操作して、ロック部３２をアンロック位置へ移動させる。すると、ロック部３２とロック用スリット２１の前端との干渉が解除される（図５）、すなわち回路遮断器１の取付パネル２０への固定状態が解除されるため、操作片３１を引き上げた状態のまま回路遮断器１を前側へ引き出して、電源側端子２から導体バーを引き抜くとともに、前掛止片８と前スリット２２との掛止状態、及び後掛止片９と後スリット２３との掛止状態を夫々解除する。その後、上記取り付けに係る手順とは逆の手順で回路遮断器１を持ち上げて、前掛止片８を前スリット２２から抜き取った後、後掛止片９を後スリット２３から抜き取ればよい。なお、各掛止片８、９と各スリット２２、２３との掛止状態を解除した時点で、操作片３１の引き上げ操作についても解除してよい。
【００２３】
以上のような回路遮断器１の取付パネル２０への取付構造及び取付方法によれば、ロック部材３０において、ロック部３２が、本体ケース４の底面から下方へ突出するロック位置と、本体ケース４内へ埋入するアンロック位置との間を上下にスライド可能となっているとともに、ロック部材３０に、ロック部３２を下方へ付勢し、ロック部材３０に上方への負荷がかけられていない状態ではロック部３２をロック位置で保持するコイルバネ３３が取り付けられていることから、前掛止片８を前スリット２２の後端に、後掛止片９を後スリット２３の後端に夫々掛止させることをもって、ロック部３２が自動的にロック位置へ復帰してロック用スリット内２１へ突出することになる。したがって、回路遮断器１の取付パネル２０への取り付けに係り、作業者がロック部材３０を直接操作する必要がないため、ロックのし忘れ等を防止することができ、従来よりも簡易に回路遮断器１を取付パネル２０へ取り付けることができる。
【００２４】
また、後掛止片９を後スリット２３の前端際に挿通させた際、前掛止片８及びロック部３２が夫々対応するスリット２１、２２よりも前方に位置するようになっており、後掛止片９、前掛止片８、及びロック部３２を順に対応するスリット２１〜２３内へ挿通させるようにしている。したがって、前後の両掛止片８、９を同時にスリット２２、２３へ挿通させて取り付けるものでは、回路遮断器１が前後何れかに傾斜した姿勢のまま導体バー１１、１１・・と接続されてしまい、不用意な脱落が起きかねないという問題を抱えていたところ、そのような事態を防止することができ、回路遮断器１の取付パネル２０への取付状態の安定性を向上することができる。
【００２５】
さらに、ロック部３２の前後長さ及びロック用スリット２１の前後長さが、前掛止片８の前後長さよりも短く成形されているため、前掛止片８を誤ってロック用スリット２１に挿通させるようなことがなく、回路遮断器１の取付パネル２０への取り付けを一層簡易に行うことができる。
加えて、電源側端子２を導体バー１１、１１・・が差し込み接続されるプラグイン方式の端子として構成しているため、回路遮断器１の取付パネル２０への取り付けと同時に回路遮断器１の電源側端子２への導体バー１１、１１・・の接続をも行うことができ、作業性の一層の向上を図ることができる。
【００２６】
なお、本発明の回路遮断器の取付パネルへの取付構造及び取付方法に係る構成は、上記実施形態の態様に何ら限定されるものではなく、回路遮断器や取付パネルの全体的な構造は勿論、ロック部材に係る構成等についても、本発明の趣旨を逸脱しない範囲で、必要に応じて適宜変更することができる。
【００２７】
たとえば、上記実施形態では、弾性手段としてコイルバネをロック部に取り付けるとしているが、ロック部に板バネ部を一体的に成形して弾性手段を構成してもよく、どのような弾性手段を設けるかは適宜設計変更可能である。
【符号の説明】
【００２８】
１・・回路遮断器、２・・電源側端子、３・・負荷側端子、４・・本体ケース、８・・前掛止片、９・・後掛止片、２０・・取付パネル、２１・・ロック用スリット、２２・・前スリット、２３・・後スリット、２５・・収納凹部、２６・・操作窓、３０・・ロック部材、３１・・操作片、３２・・ロック部、３３・・コイルバネ（弾性手段）。
【図１】
2019040738.tif 000003
【図２】
2019040738.tif 000004
【図３】
2019040738.tif 000005
【図４】
2019040738.tif 000006
【図５】
2019040738.tif 000007
【図６】
2019040738.tif 000008
【図７】
2019040738.tif 000009
【図８】
2019040738.tif 000010
【図９】
2019040738.tif 000011